(57)【要約】      （修正有）【課題】バーコードの機能をそのまま発揮しながら案内サインのデザインも棄損しない形状のバーコード記載のシートを提供する。【解決手段】幅が高さの４倍以上の横長形状となるよう上下を切り取り加工した一次元バーコード２と、加工済み一次元バーコード２の高さとの差異が１０％以内の高さとなるように調整された二次元バーコード３と、全体を囲うためのフレーム４とを組み合わせ、全体としてバーコードを横長形状とする。【選択図】図３
0003207959.tif 000002
【実用新案登録請求の範囲】
【請求項１】
一次元バーコードの上下を切り取り加工したバーコードにおいて、幅が高さの４倍以上の横長形状であることを特徴とするバーコード。
【請求項２】
請求項１記載の加工済み一次元バーコードと二次元バーコードを横に並べて配置した複合型バーコードにおいて、幅が高さの４倍以上の横長形状である加工済み一次元バーコードと、該一次元バーコードの高さとの差異が１０％以内の高さとなるように調整された二次元バーコードからなり、全体として幅が高さの４倍以上の横長形状であることを特徴とするバーコード。
【請求項３】
全体がフレームで囲われていることを特徴とする請求項１又は請求項２記載のバーコード。
【考案の詳細な説明】
【技術分野】
【０００１】
本考案は、案内サインのデザインを棄損しない形状のバーコードに関するものである。
【背景技術】
【０００２】
従来の一次元バーコードは縦横比の小さい長方形であり、二次元バーコードは正方形である。小型の印刷物等にバーコードを付記し、携帯電話等を通じて付加情報に誘導する手法は平成２０年頃から一般的に用いられている。
【０００３】
公共空間に設置される案内サインは、（１）公衆に提供される、（２）一般に大型である、（３）長期間掲示される、といった理由からデザインに求められる条件が厳しい。このため、符号がノイズのように配置されたバーコードを案内サインに付記するとすれば、デザインに及ぼす影響を小さくすることが必要になる。
【０００４】
しかし、案内サインは横長又は縦長の形状であることが多いのに対し、従来のバーコードの形状では、相対的に大きな面積を占めてしまうため、デザインを棄損する。このため、案内サインの中にバーコードが付記されている事例は少ない。
【考案の概要】
【考案が解決しようとする課題】
【０００５】
解決しようとする問題点は、従来のバーコードの機能をそのまま発揮しながら案内サインのデザインも棄損しない形状のバーコードがないという点である。
【課題を解決するための手段】
【０００６】
前記課題を解決するために、請求項１の考案は、一次元バーコードの上下を切り取り加工したバーコードにおいて、幅が高さの４倍以上の横長形状であることを特徴とする。
【０００７】
また、請求項２の考案は、請求項１の考案にかかる加工済み一次元バーコードと二次元バーコードを横に並べて配置した複合型バーコードにおいて、幅が高さの４倍以上の横長形状である加工済み一次元バーコードと、該一次元バーコードの高さとの差異が１０％以内の高さとなるように調整された二次元バーコードからなり、全体として幅が高さの４倍以上の横長形状であることを特徴とする。
【０００８】
また、請求項３の考案は、前記の考案のいずれかについて、全体がフレームで囲われていることを特徴とする。
【考案の効果】
【０００９】
本考案のバーコードは、縦長又は横長の案内サインの中にレイアウトしやすく、デザインと調和しやすい。さらに、一つのバーコードで、一次元バーコード若しくは二次元バーコード、又はその両方の機能を発揮する。
【図面の簡単な説明】
【００１０】
【図１】図１は一次元バーコード、加工済み一次元バーコード、二次元バーコード及びフレームを示した説明図である。
【図２】図２はバーコードの配置・組み合わせの一形態を示した説明図である。（実施例１及び実施例２）
【図３】図２はバーコードの配置・組み合わせの一形態を示した説明図である。（実施例３及び実施例４）
【考案を実施するための形態】
【００１１】
以下、本考案の実施例について、さらに詳細に説明する。
まず、一次元バーコード１を、幅が高さの４倍以上となるように上下を切り取り加工する。これにより、横長形状のバーコードを実現する。
また、二次元バーコード３の高さを、加工済み一次元バーコード２の高さに合わせて縦横比を維持したまま変形し、加工済み一次元バーコード２の右又は左に配置することで、全体として横長形状の複合型バーコードを実現する。
【実施例１】
【００１２】
加工済み一次元バーコード２は、本考案の１実施例の説明図である。
【実施例２】
【００１３】
複合型バーコード５は、本考案の１実施例の説明図であって、２は加工済み一次元バーコード、３は二次元バーコードである。
【実施例３】
【００１４】
複合型バーコード６は、本考案の１実施例の説明図であって、２は加工済み一次元バーコード、４はフレームである。
【実施例４】
【００１５】
複合型バーコード７は、本考案の１実施例の説明図であって、２は加工済み一次元バーコード、３は二次元バーコード、４はフレームである。
【産業上の利用可能性】
【００１６】
本考案のバーコードは、縦長又は横長の案内サインの中にレイアウトしやすく、デザインと調和しやすい。このため、公共空間の案内サインと携帯電話等との連携による付加情報の提供を目的とした、情報機器連動型案内サインに適用することが可能である。
【符号の説明】
【００１７】
１    一次元バーコード
２    加工済み一次元バーコード
３    二次元バーコード
４    フレーム
５    複合型バーコード
６    複合型バーコード
７    複合型バーコード
【図１】
0003207959.tif 000003
【図２】
0003207959.tif 000004
【図３】
0003207959.tif 000005
【手続補正書】
【提出日】平成28年10月5日(2016.10.5)
【手続補正１】
【補正対象書類名】実用新案登録請求の範囲
【補正対象項目名】全文
【補正方法】変更
【補正の内容】
【実用新案登録請求の範囲】
【請求項１】
一次元バーコードの上下を切り取り加工したバーコードと二次元バーコードを横に並べて配置した複合型バーコードにおいて、幅が高さの４倍以上の横長形状である加工済み一次元バーコードと、該一次元バーコードの高さとの差異が１０％以内の高さとなるように調整された二次元バーコードからなり、全体として幅が高さの４倍以上の横長形状であることを特徴とするバーコード記載のシート。
【請求項２】
全体がフレームで囲われていることを特徴とする請求項１記載のシート又は一次元バーコードの上下を切り取り加工したバーコードにおいて、幅が高さの４倍以上の横長形状であって全体がフレームで囲われていることを特徴とするバーコード記載のシート。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
前記課題を解決するために、請求項１の考案は、一次元バーコードの上下を切り取り加工したバーコードにおいて、幅が高さの４倍以上の横長形状である加工済み一次元バーコードと、該一次元バーコードの高さとの差異が１０％以内の高さとなるように調整された二次元バーコードからなり、全体として幅が高さの４倍以上の横長形状であることを特徴とする。
【手続補正５】
【補正対象書類名】明細書
【補正対象項目名】０００８
【補正方法】変更
【補正の内容】
【０００８】
また、請求項２の考案は、請求項１の考案にかかるバーコード又は一次元バーコードの上下を切り取り加工したバーコードにおいて幅が高さの４倍以上の横長形状であるバーコードについて、全体がフレームで囲われていることを特徴とする。